(57)【要約】【課題】スクリーン印刷において、インクを溶融する熱容量を大きく取り、インクの場所による温度のバラツキや粘度のバラツキを押さえ、印刷状態のバラツキを無くすことを目的とする。【解決手段】本発明のスクリーン印刷用具１００は、スクリーン版により被印刷物２４０にスクリーン印刷するスクリーン印刷用具であって、熱を供給するヒータ１５０と、インク１７０を貯蔵し、ヒータ１５０から供給された熱によりインク１７０を加熱するインク貯蔵部１３０と、インク貯蔵部１３０で加熱したインク１７０をスリット１６０から吐出しながら印刷する先端部１４０とを備えた。【選択図】図１
2007160643.tif 000002
【特許請求の範囲】
【請求項１】
スクリーン版により被印刷物にスクリーン印刷するスクリーン印刷用具であって、
熱を供給するヒータと、
インクを貯蔵し、前記ヒータから供給された熱によりインクを加熱するインク貯蔵部と、
インク貯蔵部で加熱したインクをスリットから吐出しながら印刷する先端部と
を備えたことを特徴とするスクリーン印刷用具。
【請求項２】
前記先端部のスクリーン版と接触する部分をダイヤモンド溶射したことを特徴とする
請求項１記載のスクリーン印刷用具。
【請求項３】
前記先端部のスクリーン版と接触する部分をカナック処理したことを特徴とする
請求項１記載のスクリーン印刷用具。
【請求項４】
前記先端部は、前記スリットを間に形成する二つのブロックから構成されたことを特徴とする請求項１乃至請求項３の何れかに記載のスクリーン印刷用具。
【請求項５】
スクリーン版により被印刷物に印刷を行うスクリーン印刷機において、
請求項１乃至請求項４の何れかに記載したスクリーン印刷用具
を備えたことを特徴とするスクリーン印刷機。
【請求項６】
前記スクリーン印刷機は、さらに、
電流を流すことにより発生した熱によりインクを融解するスクリーン版を備えたことを特徴とする請求項５記載のスクリーン印刷機。
【請求項７】
前記インク貯蔵部でインクを加熱し、その後、前記先端部のスリットからインクを吐出することにより、被印刷物にスクリーン版を重ねてスクリーン印刷を行う
ことを特徴とするスクリーン印刷方法。
【発明の詳細な説明】
【技術分野】
【０００１】
本発明は、例えば、スクリーン版により被印刷物にスクリーン印刷するスクリーン印刷用具およびスクリーン印刷機およびスクリーン印刷方法に関する。
【背景技術】
【０００２】
従来のスクリーン印刷は、スキージがスクリーン版の上面と接触した状態で直線的に摺動し、その摺動によってインクが当該スクリーン版のパターン開孔に強制充填され、その開孔を通して被印刷物に印刷する。そのため、印刷の品質ないし仕上がり状態の均一化や印刷精度等の向上を図るためには、毎回の印刷時におけるインクの粘性変化を防止することが課題である。特にプリント基板等にスクリーン印刷する場合には、常に印刷に適する一定の粘度を有するインクを供給できるようにすることが、プリント基板等の被印刷物の小型化を促進することなる。
スクリーン印刷の公知の技術として、例えば特許文献１に示すように、スキージによりクリーム半田を加熱するスクリーン印刷方法がある。しかしながら、インクを溶融するための熱容量を十分に大きくとり、場所によるインクの温度・粘度のバラツキが少なくし、最終的には印刷状態のバラツキを押さえるという課題については解決に至っていない。
また、スクリーン印刷機においては、インクの乾燥に時間がかかるためインクを乾燥させる乾燥炉は必須の設備であるが、乾燥炉は設備的に占有するスペースが大きく、そのためスクリーン印刷機の設備が大型化し、しいては設備コストが高くなるという課題があった。
【特許文献１】特開２００５−００１１１８公報
【発明の開示】
【発明が解決しようとする課題】
【０００３】
本発明は、上記の課題をふまえ、例えば、スクリーン版により被印刷物にスクリーン印刷するスクリーン印刷用具およびスクリーン印刷機およびスクリーン印刷方法において、インクを溶融する熱容量を大きく取り、インクの場所による温度のバラツキや粘度のバラツキを押さえ、印刷状態のバラツキを無くすことを目的とする。また、ホットメルト型のインクをスクリーン印刷に利用することにより、乾燥時間を短縮させ、乾燥炉の設備を省略し、設備コストを抑えることを目的とする。
【課題を解決するための手段】
【０００４】
本発明のスクリーン印刷用具は、
スクリーン版により被印刷物にスクリーン印刷するスクリーン印刷用具であって、熱を供給するヒータと、インクを貯蔵し、前記ヒータから供給された熱によりインクを加熱するインク貯蔵部と、インク貯蔵部で加熱したインクをスリットから吐出しながら印刷する先端部とを備えたことを特徴とするスクリーン印刷用具である。
【０００５】
また、本発明のスクリーン印刷用具は、
前記先端部の、スクリーン版と接触する部分をダイヤモンド溶射したことを特徴とするスクリーン印刷用具である。
【０００６】
また、本発明のスクリーン印刷用具は、
前記先端部の、スクリーン版と接触する部分をカナック処理したことを特徴とするスクリーン印刷用具である。
【０００７】
また、本発明のスクリーン印刷用具は、
前記先端部は、前記スリットを間に形成する二つのブロックから構成されたことを特徴とするスクリーン印刷用具である。
【０００８】
また、本発明のスクリーン印刷機は、
スクリーン版により被印刷物に印刷を行うスクリーン印刷機において、前記スクリーン印刷用具を備えたことを特徴とするスクリーン印刷機である。
【０００９】
また、本発明のスクリーン印刷機は、
スクリーン版により被印刷物に印刷を行うスクリーン印刷機において、電流を流すことにより発生した熱によりインクを融解するスクリーン版を備えたことを特徴とする前記スクリーン印刷機である。
【００１０】
また、本発明のスクリーン印刷方法は、
前記インク貯蔵部でインクを加熱し、その後、前記先端部のスリットからインクを吐出することにより、被印刷物にスクリーン版を重ねてスクリーン印刷を行うことを特徴とするスクリーン印刷方法である。
【発明の効果】
【００１１】
本発明によれば、スクリーン印刷時に、ホットメルトインクを融解するための十分な溶融温度を保持することが可能となり、ホットメルトインクの温度のバラツキや、粘度のバラツキの発生を抑え、印刷場所によるバラツキをなくし、印刷状態を良好とする効果を奏する。
【００１２】
また、本発明によれば、ホットメルトインクを利用することによりインクの溶剤の発生を抑えることが可能となり、さらに設備的にシステムとしてスペース、金額面で大きな比重を占める乾燥炉が不要となるため、システムがシンプルとなり、占有スペース、設備コストを大幅に抑える効果を奏する。
【発明を実施するための最良の形態】
【００１３】
実施の形態１．
実施の形態１を、図１〜図５を用いて説明する。まず、ダイ（スクリーン印刷用具の一例）について説明する。図１は、この実施の形態におけるダイ（スクリーン印刷用具の一例）の縦断面図である。図２は、この実施の形態におけるダイの斜視図である。ここで、ダイとはスクリーン印刷機で利用するスクリーン印刷用ヘッドであって、インクを一時的に貯蔵し、印刷する際にインクをスクリーン版へ吐出するものあり、従来のスクリーン印刷機のスキージヘッド部と置き換えたものである。
ダイ１００は、例えば、鉄やステンレスを材料としており、ホットメルトインク１７０（インクの一例）を一時的に貯蔵し加熱するインク貯蔵部１３０と、インク貯蔵部１３０で加熱されたホットメルトインク１７０を吐出する先端部１４０を備えている。インク貯蔵部１３０は、例えば円柱形の空洞を内部に備え、その空洞にホットメルトインクを貯蔵する。先端部１４０は、インク貯蔵部１３０につながる隙間（スリット１６０）を備えており、その隙間を通して、インク貯蔵部１３０に貯蔵されたホットメルトインク１７０を吐出口１６１から吐出する。
【００１４】
また、ダイ１００はインク貯蔵部１３０で貯蔵されたホットメルトインク１７０に熱を供給するヒータ１５０を備えている。図１では、ヒータ１５０は棒状の形状をしており、ヒータ１５０をインク貯蔵部１３０の一部に密着して設置している。これはヒータ１５０の設置方法の一例であり、バンドヒータ（バンド状の電熱体）やテープ状のヒータをダイ１００の周辺に巻いて設置してもかまわない。また、ダイ１００にカードリッジ型のヒータ（ステンレス（または銅、真鍮）の保護管の内部にコイル状に巻いた電熱線を挿入し高熱伝導、高絶縁性の特殊粉末を充填し、固形化したパイプ状のヒータ）を直接ダイに埋め込んで設置してもかまわない。
また、インクは熱によって溶融するホットメルトインク１７０を想定しているが、熱によって溶融するものであれば、半田ペーストでもかまわない。
ホットメルトインクとは、例えば、常温では一定の形状を保った固形物質もしくは粘土状の物質であるが、一定の熱を与えることにより溶融し、流動性のあるインクとなるものである。その性質を利用すれば、熱を与え液状化させた状態で被印刷物に転移させ、常温で乾燥させることにより、従来のインクに比べより短い時間で印刷することが可能となる。
ヒータ１５０の熱によりダイ１００は温められ、ダイ１００の熱によりインク貯蔵部１３０に貯蔵されたホットメルトインク１７０は、溶融し一定の粘度が維持される。溶融したホットメルトインク１７０は、インク貯蔵部１３０に加えられた圧力により、先端部１４０のスリット１６０から外部に吐出される。インク貯蔵部１３０に圧力をかける方法については後述する。吐出したホットメルトインク１７０は、例えば、スクリーン版２３０の開口部２３１を通じてワーク２４０（被印刷物の一例）に転移される。
【００１５】
また、ダイ１００は、スリット１６０を間に形成する二つのブロック、ブロックａ１１０とブロックｂ１１１とで構成されている。これは、ダイ１００の先端部１４０とスクリーン版の距離を調整するために二つのブロックとして分割している。例えば、ブロックａ１１０もしくはブロックｂ１１１の先端部のどちらか一方が、スクリーン版２３０と接触し移動することにより磨耗し、スクリーン版との距離が変化した場合、インクを正常に吐出できなくなる可能性がある。ダイが一体として形成されている場合は、先端部１４０を研磨等して高さを調整しなくてはならないが、二つのブロックによりダイを構築することにより、ブロックａ１１０もしくはブロックｂ１１１のどちらか一方を上下に移動させることにより先端部１４０のスクリーンと接する高さを調整することが可能となる。
【００１６】
次に、図３〜図５を用いて、本実施の形態に係るダイ１００（スクリーン印刷用具の一例）をスクリーン印刷機２００に取付けた場合の実施例について説明する。
図３は、本実施の形態に係るダイ１００をスクリーン印刷機に取付けた場合の、スクリーン印刷機の構成を模式的に示す図である。
図４は、本実施の形態に係るダイ１００をスクリーン印刷機に取付けた場合の、スクリーン印刷機の正面図である。
図５は、本実施の形態に係るダイ１００をスクリーン印刷機に取付けた場合の、スクリーン印刷機の平面図である。
まず、スクリーン印刷機２００の構成について説明する。
スクリーン印刷機２００は、本実施の形態にかかるダイ１００を取付けるダイ取付板２１０を備えている。このダイ取付板２１０にダイ１００を取付け固定し、ダイ取付板２１０を印刷方向に移動することにより印刷する。ダイ取付板２１０の両端には、スクリーン版２３０とダイ１００の距離を調節する上下調整機構２６５が備えられている。この上下調整機構２６５を利用することにより、ダイ１００と、スクリーン版２３０及びワーク２４０（被印刷物の一例）との距離を調整する。また、ダイ取付板２１０の両端にはスライドガイド２６６が備えられており、スクリーン印刷機２００にスライド軸２６７に沿って、通常のスキージユニットと同様に、一定方向にボールネジやベルト等で駆動させることが可能となっている。モータ２６８を取付けることにより、自動でダイ取付板２１０を移動させることも可能である。
【００１７】
スクリーン印刷機２００には、ダイ１００にインクを供給するホットメルトタンク２６０（インク供給タンクの一例）が備えられている。このホットメルトタンク２６０とダイ１００とは、管２６１で繋がっているおり、ホットメルトインク１７０は、ホットメルトタンク２６０から、管２６１を通して、ダイ１００にホットメルトインク１７０が供給される。ホットメルトタンク２６０と管２６１には、ホットメルトインク１７０を溶融状態に保ち、保温するためのヒータ２６４が備え付けられている。このヒータ２６４に電流が流れることにより、ホットメルトタンク２６０と管２６１が温められ、ホットメルトインク１７０が溶融状態となり、ダイ１００まで、流動することが可能となる。
【００１８】
また、管２６１の途中にはポンプ２６２が設置されており、ポンプ２６２が加えた圧力により、ホットメルトインク１７０はホットメルトタンク２６０から管２６１を通じてダイ１００に供給される。ポンプ２６２を取付けてホットメルトインクを供給する方法は一例であり、ホットメルトタンク２６０に、窒素ガス等の空気を送入することにより、ホットメルトタンク２６０の内部に発生した圧力により、ホットメルトインク１７０をダイ１００に供給してもかまわない。
また、ダイ取付板には、管取付口２６３が備えられている。管取付口２６３は、ホットメルトタンク２６０から伸びる管２６１とダイ１００とを容易に接続可能とするものである。
スクリーン枠２３２は、スクリーン版２３０を固定するための固定具である。
スクリーン版２３０は、例えば、ポリエステルなどの繊維で織った紗（スクリーン）であって、このスクリーンを前記スクリーン枠２３２に張って固定させ、その上に版膜（レジスト）を作り、必要な画線以外の目をふさぐことにより、開口部２３１を有したものである。インクがスクリーン版２３０の開口部２３１を通ることにより、ワーク２４０（被印刷物の一例）にインクが転移し印刷することができる。
ワークテーブル２５０は、ワーク２４０（被印刷物の一例）を載せるための台である。
【００１９】
次に、ダイ１００の先端部の特徴について説明する。
従来のスクリーン印刷機では、スクリーン版の枠内にインクをのせて、スキージでインクを押し込むことにより、スクリーン版の開口部を通過して、インクを被印刷物に転移して印刷する。従来のスキージを利用した場合、スキージを進行方向でスクリーン版と９０度以下の角度が形成できるように設置しなければならないが、この場合、インクがスキージの外に大きく出てしまう事が考えられる。インクが外に大きく出た場合、インクに熱が十分に伝えることが出来ないため、熱を十分に確保できない可能性がある。すなわち、熱容量が十分に確保できない場合は、場所によって温度バラツキが大きくなり、粘度もバラツキが発生し、最終的に印刷状態にも場所によるバラツキが発生する。
本実施の形態のダイ１００を利用すれば、先端部までヒータの熱により、ホットメルトインク１７０に熱を供給することが可能であるため、熱を十分に確保することが可能である。
【００２０】
また、本実施の形態に係るダイ１００は、スリット１６０がスクリーン版２３０に対して略垂直となるように当てており、ダイの先端部１４０がスクリーン版２３０に接する部分の高さを同一高さとすることにより、ダイ１００の吐出口１６１がスクリーン版２３０上を移動してもホットメルトインク１７０がダイ１００の外に大きく出ることを防いでいる。
ホットメルトインク１７０の被印刷物への転移は、ポンプ２６２もしくはホットメルトタンク２６０からのホットメルトインク１７０へかけられた圧力により行う。このようにすることにより、ホットメルトインク１７０に十分に熱を供給しつつ印刷することが可能となる。
【００２１】
また、従来は、スキージをスクリーン版に対して９０度以下の角度が形成するように設置するため、印刷方向は一方向に限られていたが、本実施の形態に係るダイ１００を用いた場合、両方向で印刷することが可能なる。そのため、スキージを所定位置に戻す動作が不要となり、ダイ１００の往復により印刷することが可能となる。そのため印刷時間の短縮を図る効果を奏する。
また、本実施の形態に係るダイ１００の先端部１４０のスクリーン版２３０と接する高さを同一としない場合、吐出口１６１が大きくなるため、ポンプ２６２もしくはホットメルトタンク２６０からの圧力によるスクリーン版へのホットメルトインク１７０の押込みをすることが出来なくなる。ポンプ２６２等からの圧力により押し組むことが出来なくなるため、印刷するためにはスキージ等を用いてインクを押込まなくてはならない。また、インクがダイの外に大きく出てしまう事が考えられるため、粘度の安定性が保てない可能性がある。
【００２２】
また、本実施の形態に係るダイ１００のダイヘッド先端（先端部１４０の一例）はスクリーン版と直接接触するため、磨耗を考慮し、消耗を防ぐため強度を他の部分よりも大きくする必要がある。ダイヘッド先端（先端部１４０）の表面の強度を大きくするため、例えば、ダイヘッド先端（先端部１４０）をダイヤモンド溶射する方法がある。また、例えばダイヘッド先端（先端部１４０）をカナック処理（特殊な窒化処理）してもかまわない。
ダイヤモンド溶射とは、例えば、溶射技術を利用してダイヤモンド粉粒の分散した皮膜を形成することで、機械部品等の表面特性を改善する手法である。溶射技術とは，熱源によって加熱され溶融、軟化した材料を、基材表面に吹き付けて皮膜とする加工法である。
カナック処理とは、高真空中で行われる真空窒素化法の一種である。カナック処理は真空炉による窒素原子の拡散原理を利用したもので、例えば、真空にした炉内にＮＨ３と窒化促進ガスを炉内に送り、温度を４８０度〜５５０度に加熱し、３時間〜１５時間の加熱時間を保持して窒素を母材に拡散させ、合金元素と化合物を生成させる方法である。
ダイヘッド先端（先端部１４０）をダイヤモンド溶射したり、カナック処理をすることにより、ダイヘッド先端（先端部１４０）の強度が増し、スクリーン版と接触することによる磨耗を防ぐことが出来るため、例えばダイ１００の交換といったスクリーン印刷機２００のメンテナンスの回数を減らすことができ、より長時間印刷することも可能となる。
磨耗による先端部の消耗を防ぐことを目的とした加工であるため、ダイの材質・材料により先端部の強度が十分に確保できる場合は、加工をしなくてもかまわないし、先端の強度を確保するため別の加工をしてもかまわない。
【００２３】
また、ダイ１００は、スリット１６０を間に形成する二つのブロック、ブロックａ１１０とブロックｂ１１１とで構成されている。これは、スクリーン印刷を行うことにより、ブロックａ１１０とブロックｂ１１１の先端部のどちらか一方が、磨耗によりスクリーン版との距離が変化し、ホットメルトインクが外にはみ出る可能性があるからである。そこで、ダイ１００のスリット１６０を間に形成するよう、ブロックａ１１０とブロックｂ１１１とに分けるよう構成し、印刷を行うことにより磨耗した場合、どちらか一方を上下に移動させることにより、スクリーン版からの距離が同じになるよう調整することが可能となる。
【００２４】
次に、図８を用いて、本実施の形態にかかるスクリーン印刷方法について説明する。
図８は、本実施の形態に係るスクリーン印刷方法を示すフローチャートである。
まず、最初のステップ（Ｓ１０１）でホットメルトタンク２６０にホットメルトインク１７０を入れる。このホットメルトタンク２６０には、印刷をするために十分なホットメルトインク１７０が貯蔵されている。
次のステップ（Ｓ１０２）では、ホットメルトタンク２６０に備えられたヒータ２６４の熱により、ホットメルトインク１７０を溶融する。
ホットメルトタンク２６０の内部に貯蔵されたホットメルトインク１７０が十分に溶融したら、管２６１を通じて、ダイ１００にホットメルトインク１７０を送る。ダイ１００のインク貯蔵部１３０に満杯となるまでホットメルトインク１７０が送られ、印刷するまで貯蔵される（Ｓ１０３）。
次に、ダイ１００のヒータ１５０の熱により、インク貯蔵部１３０のホットメルトインク１７０が印刷するに十分な粘度となるよう溶融する（Ｓ１０４）。
次に、ポンプ２６２若しくはホットメルトタンク２６０に圧力をかけホットメルトインク１７０をスリット１６０より押し出す（Ｓ１０５）。
ホットメルトインク１７０は、スクリーン版２３０のマスク（開口部２３１）を通過して被印刷物に転移する（Ｓ１０６）。
ステップ１０７で、印刷が完了しているかどうか確認する（Ｓ１０７）。印刷が完了していない場合（ＮＯの場合）は、ステップ１０３に戻り、再度、ダイ１００にホットメルトインク１７０を送る。印刷が完了している場合（ＹＥＳの場合）は、印刷を終了する。
【００２５】
以上のように、本実施の形態に係るスクリーン印刷用具は、
スクリーン版により被印刷物にスクリーン印刷するスクリーン印刷用具であって、熱を供給するヒータと、インクを貯蔵し、前記ヒータから供給された熱によりインクを加熱するインク貯蔵部と、インク貯蔵部で加熱したインクをスリットから吐出しながら印刷する先端部とを備えたことを特徴とする。
【００２６】
また、本実施の形態のスクリーン印刷機は、前記スクリーン印刷用具を備えたことを特徴とするスクリーン印刷機である。
【００２７】
このような特徴により、スクリーン印刷時に、ホットメルトインクを融解するための十分な溶融温度を保持することが可能となり、ホットメルトインクの温度のバラツキや、粘度のバラツキの発生を抑え、印刷場所によるバラツキをなくし、印刷状態を良好とする効果を奏する。
【００２８】
また、本実施の形態によれば、ホットメルトインクを利用することによりインクの溶剤の発生を抑えることが可能となり、さらに設備的にシステムとしてスペース、金額面で大きな比重を占める乾燥炉が不要となるため、システムがシンプルとなり、占有スペース、設備コストを大幅に抑える効果を奏する。
【００２９】
実施の形態２．
実施の形態２について、図６と図７を用いて説明する。
図６は、実施の形態２に係るスクリーン印刷機の構成を模式的に示す断面図である。
図７は、実施の形態２に係るスクリーン印刷機の平面図である。
実施の形態１との違いは、スクリーン版の周辺にジュール熱発生用配線２７０を備えたことである。スクリーン版に設置したジュール熱発生用の配線に、ある電圧で電流を流し、スクリーンその物にジュール熱を発生させてホットメルトインクの溶融温度を保持する。ダイ１００、スクリーン印刷機２００の構成は、実施の形態１と同様であるため、ここでは説明を省略するが、勿論、ダイ１００、ホットメルトタンク２６０、管２６１にもヒータが仕込まれておりホットメルトインクの溶融状態を保持している。
ジュール熱発生用配線２７０が備えられジュール熱容量を大きくしたスクリーン版２３０とヒータ１５０が備えられたダイ１００からの熱を併用して用いることにより、より安定的にホットメルトインク１７０を溶融状態に保つことできるため、より良好な印刷状態とすることが可能となる。
【００３０】
スクリーン版のジュール熱だけでホットメルトインク１７０を溶融し、通常のスクリーン印刷機のようにスキージで印刷することも当然考えられるが、スクリーン版だけでは、ジュール熱容量は大きく取れないため、場所によって温度のバラツキも大きくなり、粘度にもバラツキが発生する。すなわち印刷状態にも場所によるバラツキが発生する。これを押さえる意味で、スクリーン版のジュール熱とダイ１００の熱を併用することにより、ホットメルトインク１７０の溶融状態も安定し、印刷状態も場所によるバラツキがなくなるという効果を奏する。
【００３１】
以上のように、本実施の形態に係るスクリーン印刷機は、
熱を供給するヒータと、インクを貯蔵し、前記ヒータから供給された熱によりインクを加熱するインク貯蔵部と、インク貯蔵部で加熱したインクをスリットから吐出しながら印刷する先端部とを備えたことを特徴とするスクリーン印刷用具と、電流を流すことにより発生した熱によりインクを融解するスクリーン版とを備えたことを特徴とするスクリーン印刷機である。
【００３２】
このような特徴により、スクリーン印刷時に、インクを融解するための十分な溶融温度を保持することが可能となり、インクの温度のバラツキや、粘度のバラツキの発生を抑え、印刷場所によるバラツキをなくし、印刷状態を良好とすることが可能となる。
【図面の簡単な説明】
【００３３】
【図１】本実施の形態に係るスクリーン印刷用具の縦断面図である。
【図２】本実施の形態に係るスクリーン印刷用具の斜視図である。
【図３】本実施の形態１に係るスクリーン印刷機の構成を模式的に示す断面図である。
【図４】本実施の形態１に係るスクリーン印刷機の正面図である。
【図５】本実施の形態１に係るスクリーン印刷機の平面図である。
【図６】本実施の形態２に係るスクリーン印刷機の構成を模式的に示す断面図である。
【図７】本実施の形態２に係るスクリーン印刷機の構成を模式的に示す平面図である。
【図８】本実施の形態に係るスクリーン印刷方法を示すフローチャートである。
【符号の説明】
【００３４】
１００  ダイ、１１０  ブロックａ、１１１  ブロックｂ、１３０  インク貯蔵部、１４０  先端部、１５０  ヒータ、１６０  スリット、１７０  ホットメルトインク、２００  スクリーン印刷機、２１０  ダイ取付板、２３０  スクリーン版、２３１  開口部、２３２  スクリーン枠、２４０  ワーク、２５０  ワークテーブル、２６０  ホットメルトタンク、２６１  管、２６２  ポンプ、２６３  管取付口、２６４  ヒータ、２６５  上下調整機構、２６６  スライドガイド、２６７  スライド軸、２６８  モータ、２７０  熱発生用配線。
【図１】
2007160643.tif 000003
【図２】
2007160643.tif 000004
【図３】
2007160643.tif 000005
【図４】
2007160643.tif 000006
【図５】
2007160643.tif 000007
【図６】
2007160643.tif 000008
【図７】
2007160643.tif 000009
【図８】
2007160643.tif 000010